(57)【要約】      （修正有）【課題】かご状本体の後室に餌容器を設置したり、捕獲したねずみを取り出すような場合、かご状本体の後面板を後面開閉機構により完全に開放することができ、餌容器の設置や捕獲したねずみの取り出しを容易に行うことができ、捕獲したねずみを取り逃がすことなく、確実に取り出すことができ、使用の利便性を高めることができるねずみ捕獲器を提供する。【解決手段】間仕切壁板２に仕切かご体４の底面を開閉可能なねずみ落とし板５を水平閉口位置と斜下方開口位置との間で揺動自在に枢着し、ねずみ落とし板にねずみ落とし板を斜下方開口位置から水平閉口位置へと上向き揺動させて仕切かご体の底面を閉塞するための錘体５ａを設けると共に仕切かご体にねずみ落とし板の水平閉口位置を規制する上限規制部を設け、かご状本体の後面板１ｃを全面開閉可能な後面開閉機構６を設けてなる。【選択図】図１
0003188036.tif 000002
【実用新案登録請求の範囲】
【請求項１】
底板、前面板、後面板及び周囲板からなるかご状本体を形成し、該かご状本体内を間仕切壁板により前室及び後室の二つの空間に仕切形成し、該かご状本体の前面板に外部と該前室とを連通する漏斗状のねずみの進入口部を形成し、該間仕切壁板に該前室と該後室とを連通する捕獲口部を形成し、該間仕切壁板に前面及び底面が開口する仕切かご体を配設し、該仕切かご体の開口前面を該捕獲口部に対向配置し、該間仕切壁板に該仕切かご体の底面を開閉可能なねずみ落とし板を水平閉口位置と斜下方開口位置との間で揺動自在に枢着し、該ねずみ落とし板に該ねずみ落とし板を該斜下方開口位置から水平閉口位置へと上向き揺動させて該仕切かご体の底面を閉塞するための錘体を設けると共に該仕切かご体にねずみ落とし板の水平閉口位置を規制する上限規制部を設け、該かご状本体の後面板を全面開閉可能な後面開閉機構を設けてなることを特徴とするねずみ捕獲器。
【請求項２】
上記後面開閉機構として、上記かご状本体の後面板の下辺部を上記周囲板の底縁部に枢着して該後面板をかご状本体の下辺部を中心として全面開閉起伏揺動自在に設け、一方端部に該かご状本体の後面板を構成する線材に引掛可能な引掛部が形成されて他方端部に周囲板を構成する線材に弾性係脱可能な係脱部を形成してなる係脱部材を複数個形成し、該複数個の係脱部材の該係脱部と該周囲板を構成する線材との係脱により該かご状本体の後面板を全面開閉可能に形成してなることを特徴とする請求項１記載のねずみ捕獲器。
【考案の詳細な説明】
【技術分野】
【０００１】
本考案は、例えば、養鶏所、豚舎、牛舎等に設置され、ねずみ等を捕獲する際に用いられるねずみ捕獲器に関するものである。
【背景技術】
【０００２】
従来、この種のねずみ捕獲器として、かご状本体を形成し、該かご状本体内を間仕切壁板により上室及び下室の二つの空間に仕切形成し、該かご状本体の前部に上室と連通するねずみの進入口部を形成し、上室と下室とを仕切る間仕切壁板にねずみ落とし板を水平閉口位置と斜下方開口位置との間で揺動自在に枢着し、上室に餌投入口を設けると共に底部に排出部を設けた構造のものが知られている。
【先行技術文献】
【特許文献】
【０００３】
【特許文献１】実開平８−６０１号公報
【考案の概要】
【考案が解決しようとする課題】
【０００４】
しかしながら上記従来構造の場合、餌の設置及び捕獲したねずみの取出が面倒であると共に構造が複雑化し易いことがあるという不都合を有している。
【課題を解決するための手段】
【０００５】
本考案はこれらの不都合を解決することを目的とするもので、本考案のうちで、請求項１記載の考案は、底板、前面板、後面板及び周囲板からなるかご状本体を形成し、該かご状本体内を間仕切壁板により前室及び後室の二つの空間に仕切形成し、該かご状本体の前面板に外部と該前室とを連通する漏斗状のねずみの進入口部を形成し、該間仕切壁板に該前室と該後室とを連通する捕獲口部を形成し、該間仕切壁板に前面及び底面が開口する仕切かご体を配設し、該仕切かご体の開口前面を該捕獲口部に対向配置し、該間仕切壁板に該仕切かご体の底面を開閉可能なねずみ落とし板を水平閉口位置と斜下方開口位置との間で揺動自在に枢着し、該ねずみ落とし板に該ねずみ落とし板を該斜下方開口位置から水平閉口位置へと上向き揺動させて該仕切かご体の底面を閉塞するための錘体を設けると共に該仕切かご体にねずみ落とし板の水平閉口位置を規制する上限規制部を設け、該かご状本体の後面板を全面開閉可能な後面開閉機構を設けてなることを特徴とするねずみ捕獲器にある。
【０００６】
又、請求項２記載の考案は、上記後面開閉機構として、上記かご状本体の後面板の下辺部を上記周囲板の底縁部に枢着して該後面板をかご状本体の下辺部を中心として全面開閉起伏揺動自在に設け、一方端部に該かご状本体の後面板を構成する線材に引掛可能な引掛部が形成されて他方端部に周囲板を構成する線材に弾性係脱可能な係脱部を形成してなる係脱部材を複数個形成し、該複数個の係脱部材の該係脱部と該周囲板を構成する線材との係脱により該かご状本体の後面板を全面開閉可能に形成してなることを特徴とするものである。
【考案の効果】
【０００７】
本考案は上述の如く、請求項１記載の考案にあっては、かご状本体を養鶏所、豚舎、牛舎等に設置し、ねずみは漏斗状の進入口部からかご状本体の前室内に進入し、ねずみは前室に進入したり、前室から外部に出たりして、遊ぶことができ、前室が遊び空間として機能し、ねずみに進入しても大丈夫という安心感を与え、そして、ねずみが間仕切壁板に形成された捕獲口部を介して仕切かご体に進入し、仕切かご体の底面に配置されたねずみ落とし板の上に乗り上がると、ねずみ落とし板が水平閉口位置から斜下方開口位置へと下向揺動し、ねずみは後室に収容捕獲され、このねずみ落とし板の下向揺動によりねずみ落とし板上のねずみは後室内に落下し、ねずみが落下したのち、錘体の重さにより、ねずみ落とし板は斜下方開口位置から水平閉口位置へと復帰揺動し、ねずみ落とし板は上限規制部により水平閉口位置に保持され、そして、再び、新たなねずみが進入口部から前室内に進入すると、ねずみ落とし板の揺動を介して後室に収容捕獲され、この作動の繰り返しにより、順次、複数のねずみを捕獲することができ、かご状本体１は間仕切壁板により前室及び後室の二つの空間に仕切形成されているから、上室及び下室の二つの空間に仕切形成して捕獲空間を下室とした従来構造に比べ、後室の収容スペースを大きく取ることができ、それだけ多数のねずみを捕獲することができ、この際、かご状本体の後面板を全面開閉可能な後面開閉機構を設けているから、かご状本体の後室に餌容器を設置したり、捕獲したねずみを取り出すような場合、かご状本体の後面板を後面開閉機構により完全に開放することができ、餌容器の設置や捕獲したねずみの取り出しを容易に行うことができ、捕獲したねずみを取り逃がすことなく、確実に取り出すことができ、使用の利便性を高めることができる。
【０００８】
又、請求項２記載の考案にあっては、上記後面開閉機構として、上記かご状本体の後面板の下辺部を上記周囲板の底縁部に枢着して後面板をかご状本体の下辺部を中心として全面開閉起伏揺動自在に設け、一方端部にかご状本体の後面板を構成する線材に引掛可能な引掛部が形成されて他方端部に周囲板を構成する線材に弾性係脱可能な係脱部を形成してなる係脱部材を複数個形成し、複数個の係脱部材の係脱部と周囲板を構成する線材との四箇所の係脱によりかご状本体の後面板を全面開閉可能に形成して構成しているから、後面板の開閉を容易に行うことができると共に構造を簡素化することができる。
【図面の簡単な説明】
【０００９】
【図１】本考案の実施の形態例の全体斜視図である。
【図２】本考案の実施の形態例の全体側断面図である。
【図３】本考案の実施の形態例の全体平断面図である。
【図４】本考案の実施の形態例の部分斜視図である。
【図５】本考案の実施の形態例の部分側断面図である。
【図６】本考案の実施の形態例の後面図である。
【図７】本考案の実施の形態例の後部部分側断面図である。
【図８】本考案の実施の形態例の後部斜視図である。
【考案を実施するための形態】
【００１０】
図１乃至図８は本考案の実施の形態例を示し、図１、図２、図３の如く、１はかご状本体であって、この場合、それぞれ線材Ｗを網状に組んでなる底板１ａ、前面板１ｂ、後面板１ｃ及び周囲板１ｄからなるアーチかご状に形成され、この周囲板１ｄの頂部に取っ手１ｅを起伏自在に設け、このかご状本体１内を同じく線材Ｗを網状に組んでなる間仕切壁板２により前室Ｒｆ及び後室Ｒｂの二つの空間に仕切形成し、かご状本体１の前面板１ｂにかご状本体１に外部と前室Ｒｆとを連通する漏斗状のねずみＱの進入口部３を形成し、間仕切壁板２に前室Ｒｆと後室Ｒｂとを連通する捕獲口部２ａを形成し、間仕切壁板２に前面及び底面が開口する仕切かご体４を配設し、仕切かご体４の開口前面を捕獲口部２ａに対向配置して構成している。
【００１１】
５はねずみ落とし板であって、図４、図５、図６の如く、上記間仕切壁板２に仕切かご体４の底面を開閉可能なねずみ落とし板５を水平閉口位置Ｈと斜下方開口位置Ｋとの間で枢着部Ｍにより揺動自在に枢着し、ねずみ落とし板５にねずみ落とし板５を斜下方開口位置Ｋから水平閉口位置Ｈへと上向き揺動させて仕切かご体４の底面を閉塞するための錘体５ａを固定突設すると共に仕切かご体４にねずみ落とし板５の水平閉口位置Ｈを規制する上限規制部４ａを設け、かご状本体１の後面板１ｃを全面開閉可能な後面開閉機構６を設けている。
【００１２】
この場合、上記後面開閉機構６として、図６、図７、図８の如く、上記かご状本体１の後面板１ｃの下辺部Ｇを上記周囲板１ｄの底縁部Ｄに枢着して後面板１ｃをかご状本体１の下辺部Ｇを中心として全面開閉起伏揺動自在に設け、一方端部にかご状本体１の後面板１ｃを構成する線材Ｗに引掛可能な引掛部７ａが形成されて他方端部に周囲板１ｄを構成する線材Ｗに弾性係脱可能な係脱部７ｂを形成してなる係脱部材７を複数個、この場合、四個形成し、複数個、この場合、四個の係脱部材７・７・７・７の係脱部７ｂと周囲板１ｄを構成する線材Ｗとの四箇所の係脱によりかご状本体１の後面板１ｃを全面開閉可能に形成して構成している。
【００１３】
この実施の形態例は上記構成であるから、かご状本体１を養鶏所、豚舎、牛舎等に設置し、かご状本体１の後室Ｒｂに餌Ｅを収容した餌容器Ｂを配置し、この待機状態において、餌Ｅに誘われてねずみＱが出現すると、ねずみＱは漏斗状の進入口部３からかご状本体１の前室Ｒｆ内に進入し、ねずみＱは前室Ｒｆに進入したり、前室Ｒｆから外部に出たりして、遊ぶことができ、前室Ｒｆが遊び空間として機能し、ねずみＱに進入しても大丈夫という安心感を与え、そして、ねずみＱが間仕切壁板２に形成された捕獲口部２ａを介して仕切かご体４に進入し、仕切かご体４の底面に配置されたねずみ落とし板５の上に乗り上がると、図２、図５の如く、ねずみ落とし板５が水平閉口位置Ｈから斜下方開口位置Ｋへと枢着部Ｍを中心として下向揺動し、ねずみＱは後室Ｒｂに収容捕獲され、このねずみ落とし板５の下向揺動によりねずみ落とし板５のねずみＱは後室Ｒｂ内に落下し、ねずみＱが落下したのち、錘体５ａの重さにより、ねずみ落とし板５は枢着部Ｍを中心として斜下方開口位置Ｋから水平閉口位置Ｈへと復帰揺動し、ねずみ落とし板５は上限規制部４ａにより水平閉口位置Ｈに保持され、そして、再び、新たなねずみＱが進入口部３から前室Ｒｆ内に進入すると、ねずみ落とし板５の揺動を介して後室Ｒｂに収容捕獲され、この作動の繰り返しにより、順次、複数のねずみＱを捕獲することができ、かご状本体１は間仕切壁板２により前室Ｒｆ及び後室Ｒｂの二つの空間に仕切形成されているから、上室及び下室の二つの空間に仕切形成して捕獲空間を下室とした従来構造に比べ、後室Ｒｂの収容スペースを大きく取ることができ、それだけ多数のねずみＱを捕獲することができる。
【００１４】
この際、かご状本体１の後面板１ｃを全面開閉可能な後面開閉機構６を設けているから、かご状本体１の後室Ｒｂに餌容器Ｂを設置したり、捕獲したねずみＱを取り出すような場合、図２及び図８の如く、かご状本体１の後面板１ｃを後面開閉機構６により完全に開放することができ、餌容器Ｂの設置や捕獲したねずみＱの取り出しを容易に行うことができ、捕獲したねずみＱを取り逃がすことなく、確実に取り出すことができ、使用の利便性を高めることができる。
【００１５】
又、この場合、上記後面開閉機構６として、図７、図８の如く、上記かご状本体１の後面板１ｃの下辺部Ｇを上記周囲板１ｄの底縁部Ｄに枢着して後面板１ｃをかご状本体１の下辺部Ｇを中心として全面開閉起伏揺動自在に設け、一方端部にかご状本体１の後面板１ｃを構成する線材Ｗに引掛可能な引掛部７ａが形成されて他方端部に周囲板１ｄを構成する線材Ｗに弾性係脱可能な係脱部７ｂを形成してなる係脱部材７を複数個形成し、複数個の係脱部材７・・の係脱部７ｂと周囲板１ｄを構成する線材Ｗとの四箇所の係脱によりかご状本体１の後面板１ｃを全面開閉可能に形成して構成しているから、後面板１ｃの開閉を容易に行うことができると共に構造を簡素化することができる。
【００１６】
尚、本考案は上記実施の形態例に限られるものではなく、かご状本体１、間仕切壁板２、進入口部３、仕切かご体４、ねずみ落とし板５、後面開閉機構６の構造とは適宜変更して設計される。
【００１７】
以上の如く、所期の目的を充分達成することができる。
【符号の説明】
【００１８】
Ｗ    線材
Ｒｆ    前室
Ｒｂ    後室
Ｑ    ねずみ
Ｈ    水平閉口位置
Ｋ    斜下方開口位置
Ｇ    下辺部
Ｄ    底縁部
１    かご状本体
１ａ    底板
１ｂ    前面板
１ｃ    後面板
１ｄ    周囲板
２    間仕切壁板
２ａ    捕獲口部
３    進入口部
４    仕切かご体
４ａ    上限規制部
５    ねずみ落とし板
５ａ    錘体
６    後面開閉機構
７    係脱部材
７ａ    引掛部
７ｂ    係脱部
【図１】
0003188036.tif 000003
【図２】
0003188036.tif 000004
【図３】
0003188036.tif 000005
【図４】
0003188036.tif 000006
【図５】
0003188036.tif 000007
【図６】
0003188036.tif 000008
【図７】
0003188036.tif 000009
【図８】
0003188036.tif 000010